(57)【要約】  蓋、本体、取付機構、及びシールを有する再封止可能な容器が開示される。シールが、蓋から延在し若しくはそこに取り付けられ、本体封止面及び／又は口縁を含む側壁といった本体の少なくとも一部に係合する。本体の内部空間への湿気及び周囲の状況の侵入を阻止するシールがシールと本体の係合により形成される。取付機構が、本体上で着座し、閉じた位置に蓋を止める。シール及び取付機構の構成により、蓋と本体の結合及び配置における誤差の程度が対処され、他方、閉じた位置に蓋がある時の蓋と本体の間の封止の形成及び蓋のロッキングの双方が許容される。
2014504238.tif 000002
【特許請求の範囲】
【請求項１】
側壁、底、及び開口を有する本体であって、前記底及び前記開口が前記本体の反対端に設けられ、前記側壁が前記本体に内部空間を提供するように構成され、前記内部空間が前記開口及び前記底の間に概して設けられ、前記側壁の内面の少なくとも一部が本体封止面を有する、本体と、
シールを有する蓋であって、開いた位置と閉じた位置の間で前記蓋が動くことを許容するべく前記本体に対して前記蓋が枢動可能に結合し、前記蓋が、前記閉じた位置に前記蓋がある時に前記本体に着座するように構成され、また前記開いた位置に前記蓋がある時に前記内部空間へのアクセスを許容し、前記シールが、前記本体封止面と前記シールの間に封止を形成するように前記閉じた位置に前記蓋がある時に前記本体の前記内部空間の少なくとも一部内に延在し、かつ前記本体封止面の少なくとも一部に係合するように構成され、ここで、前記開いた位置に前記蓋がある時、前記シールに亘る幅が、閉じた位置に前記蓋がある時に前記シールの前記少なくとも一部が接触する前記本体封止面に亘る幅よりも大きい、蓋と、
前記本体に前記蓋が着座する時に前記閉じた位置に前記蓋を固定し、かつ前記本体封止面及びシールの間に前記封止を維持するように構成された取付機構と、
を備える再封止可能な容器。
【請求項２】
前記シール及び前記取付機構が離れた別個の要素である、請求項１に記載の容器。
【請求項３】
前記本体が第１拡張部を有し、前記蓋が第２拡張部を有し、前記第１及び第２拡張部のヒンジにより前記蓋及び本体が一緒に結合される、請求項１又は２に記載の容器。
【請求項４】
前記シールが内側リングであり、前記開いた位置に前記蓋がある時に内側リングの少なくとも一部に亘る幅が、前記閉じた位置に前記蓋がある時に前記内側リングの前記少なくとも一部が接触する前記本体封止面に亘る径よりも大きい径を有する、請求項１乃至３のいずれか一項に記載の容器。
【請求項５】
前記本体封止面の少なくとも一部が、前記閉じた位置に前記蓋がある時に前記シールのテーパー面に係合して実質的に気密封止を提供する面取り面を有する、請求項１乃至４のいずれか一項に記載の容器。
【請求項６】
前記取付機構が、前記本体に設けられた爪を含み、前記爪が、前記閉じた位置に前記蓋がある時に前記蓋に係合する突起を有する、請求項１乃至５のいずれか一項に記載の容器。
【請求項７】
前記蓋が、アパーチャ及び凹みを含み、
前記閉じた位置に前記蓋がある時、前記爪の少なくとも一部が前記アパーチャに配置され、前記爪の突起の少なくとも一部が前記凹みに配置される、請求項６に記載の容器。
【請求項８】
前記取付機構が前記蓋に設けられた爪を含み、前記本体がアパーチャを含み、前記爪の少なくとも一部が、閉じた位置に前記蓋がある時に前記アパーチャに配置される、請求項１乃至５のいずれか一項に記載の容器。
【請求項９】
前記開口がリムにより境界付けられ、前記アパーチャが前記リムに配される、請求項８に記載の容器。
【請求項１０】
側壁、底、及び開口を有する本体であって、前記底及び前記開口が前記本体の反対端に設けられ、前記側壁が前記本体に内部空間を提供するように構成され、前記内部空間が前記開口及び前記底の間に概して設けられる、本体と、
開いた位置と閉じた位置の間で当該蓋が動くことを許容するべく前記本体に対して枢動可能に結合した蓋であって、前記蓋が、前記閉じた位置に前記蓋がある時に前記本体に着座するように構成され、また前記開いた位置に前記蓋がある時に前記内部空間へのアクセスを許容する、蓋と、
前記蓋に動作可能に接続したシールであって、前記閉じた位置に前記蓋がある時に前記開口の隣の前記本体の一部に係合して前記本体と前記蓋の間に封止を形成する封止面を有する、シールと、
前記蓋が前記本体に着座する時に前記閉じた位置に前記蓋を固定し、かつ前記本体と前記蓋の間に前記封止を維持するように構成された取付機構と、
を備える、再封止可能な容器。
【請求項１１】
前記シール及び前記取付機構が離れた別個の要素である、請求項１０に記載の容器。
【請求項１２】
前記シールがエラストマーである、請求項１０又は１１に記載の容器。
【請求項１３】
前記シールの少なくとも一部が前記本体に向って付勢される、請求項１０乃至１２のいずれか一項に記載の容器。
【請求項１４】
前記シールがシールベース及びオリフィスを含み、前記オリフィスが、前記蓋との関係において前記シールを保持するための前記蓋から延在するピンに対して係合するように構成される、請求項１０乃至１３のいずれか一項に記載の容器。
【請求項１５】
前記本体がリムを含み、前記リムが前記開口の周りに配置され、ここで、前記シールが、前記閉じた位置に前記蓋がある時に前記リムを越えて延在する前記側壁の少なくとも一部に対して係合する、請求項１０乃至１４のいずれか一項に記載の容器。
【請求項１６】
前記取付機構が突起を有する爪を含み、当該爪が前記リムに設けられ、
前記突起は、前記閉じた位置に前記蓋がある時に前記蓋に対して係合する、請求項１５に記載の容器。
【請求項１７】
前記蓋が、アパーチャ及び凹みを含み、
前記爪の少なくとも一部が、前記閉じた位置に前記蓋がある時に前記アパーチャに配置され、
前記凹みが、前記閉じた位置に前記蓋がある時に前記突起の少なくとも一部の配置のために構成される、請求項１６に記載の容器。
【請求項１８】
前記取付機構が前記蓋に設けられた爪を含み、前記爪が突起を有し、
前記突起が、前記閉じた位置に前記蓋がある時に前記本体の凹みに係合する、請求項１０乃至１４のいずれか一項に記載の容器。
【請求項１９】
前記本体が前記開口の周りに配置されたリムを含み、ここで、前記シールが、前記閉じた位置に前記蓋がある時に前記リムを越えて延在する前記側壁の少なくとも一部に対して係合し、前記リムが、前記閉じた位置に前記蓋がある時に前記爪の少なくとも一部の配置のために構成されたアパーチャを有する、請求項１８に記載の容器。
【請求項２０】
前記本体が第１拡張部を有し、前記蓋が第２拡張部を有し、前記第１及び第２拡張部のヒンジにより前記蓋及び本体が一緒に結合される、請求項１０乃至１９のいずれか一項に記載の容器。
【請求項２１】
前記シールが、第１封止面及び第２封止面を有し、前記第１封止面が、前記側壁の内面に対して係合するように構成され、前記第２封止面が、前記側壁の外面に対して係合するように構成される、請求項１０乃至２０のいずれか一項に記載の容器。
【請求項２２】
前記シールが、前記第１及び第２封止面の間の封止領域を更に含み、前記封止領域の少なくとも一部が、前記閉じた位置に前記蓋がある時に前記側壁の上部の口縁に係合するように構成される、請求項２１に記載の容器。
【請求項２３】
側壁、底、及び開口を有する本体であって、前記底及び前記開口が前記本体の反対端に設けられ、前記側壁が前記本体に内部空間を提供するように構成され、前記内部空間が前記開口及び前記底の間に概して設けられる本体を成形し；
蓋を成形し；
封止面を有するシールを前記蓋に接続し；及び
前記本体に対して前記蓋を取付け、開いた位置と閉じた位置の間で前記蓋が枢動可能に動くことを許容するべく前記蓋が前記本体に取付けられ、前記蓋が、前記閉じた位置に前記蓋がある時に前記本体に着座するように構成され、また前記開いた位置に前記蓋がある時に前記内部空間へのアクセスを許容し、前記封止面が、前記本体及び前記蓋の間に封止を形成するべく前記閉じた位置に前記蓋がある時に前記開口に隣接する前記本体の部分に係合するように構成される；
ここで、前記本体又は蓋の少なくとも一方が、前記本体に前記蓋が着座する時に前記閉じた位置に前記蓋を固定し、かつ前記本体及び前記蓋の間に前記封止を維持するように構成された取付機構を含む、再封止可能な容器の製造方法。
【発明の詳細な説明】
【背景技術】
【０００１】
本発明は、グルコース検査又は他の目的の細片、錠剤、丸薬、固体投与薬品、若しくは湿気に敏感な材料の収容に使用可能である容器に関する。より詳細には、本発明は、閉鎖可能な蓋、本体、及び容器の内部空間の内外の湿気の侵入及び／又は脱出を制御し、かつ内部空間の状態を制御するために用いられるシールを有する、例えば、バイアルといった再封止可能な容器に関する。
【０００２】
例えばバイアルといった容器は、典型的には、バイアルの一部に取付けられたキャップを含む。このような装置によれば、容器が閉じられる時、キャップがバイアルの上部口縁に接触し、そして、そのような接触により封止が形成される。しかしながら、容器のバイアルの上部口縁が、度々、やや薄い壁厚を有するため、キャップとバイアルの上部口縁の間の適切な適合を確保して容器を適切に閉じるため、キャップとバイアルの配置及び接続に関して一般に精度が要求される。
【０００３】
バイアルに対するキャップのアライメント及び位置付けにおける限られた許容可能な誤差の程度に関する問題を解消するため、そのような容器が一般に単一の一体化されたユニットとして成形される。そのような一体型構造により、容器が開けられた時にキャップがバイアルに取付けられたままになる。更に、一体的に成形された構成要素が一緒になってバイアルに対するキャップの位置付け及びアライメントを制御するため、そのような一体型構造は、取り付けられたキャップとバイアルの間のミスアライメント又は不適切な適合に起因して適切に閉じられない容器に関する潜在的な問題を低減し得る。しかしながら、キャップ及びバイアルの両方の一体的な成形は、それらの部品の別個の成形よりも一般的に高価である。
【発明の概要】
【課題を解決するための手段】
【０００４】
本発明の一側面は、再封止可能な容器である。容器は、側壁、底、及び開口を有する本体を含む。底及び開口が本体の反対端に設けられる。側壁が本体に内部空間を提供するように構成される。更に、内部空間が開口及び底の間に概して設けられる。加えて、側壁の内面の少なくとも一部が本体封止面である。
【０００５】
蓋が、キャップ及びシールを含む。蓋は、開いた位置と閉じた位置の間で蓋が動くことを許容するべく本体に対して枢動可能に結合される。更に、蓋が閉じた位置の時に本体に着座可能に構成される。開いた位置の時、蓋が、内部空間へのアクセスを許容する。シールは、本体封止面とシールの間に封止を形成するように閉じた位置に蓋がある時に本体の内部空間の少なくとも一部内に延在し、本体封止面の少なくとも一部に係合するように構成される。
【０００６】
容器は、本体に蓋が着座する時に閉じた位置に蓋を固定し、かつ本体封止面及びシールの間に封止を維持するように構成された取付機構も含む。
【０００７】
本発明の別の側面は、再封止可能な容器であり、側壁、底、及び開口を有する本体を含む。底及び開口が本体の反対端に設けられる。側壁が本体に内部空間を提供するように構成される。内部空間が開口及び底の間に概して設けられる。
【０００８】
蓋は、開いた位置と閉じた位置の間で蓋が動くことを許容するべく本体に対して枢動可能に結合される。蓋は、閉じた位置に蓋がある時に本体に着座可能にも構成され、開いた位置に蓋がある時に開口へのアクセスを許容する。
【０００９】
容器は、蓋に接続したシールも含む。シールは、閉じた位置に蓋がある時に内部空間の隣の本体の一部に係合して本体と蓋の間に封止を形成する封止面を有する。
【００１０】
容器は、蓋が本体に着座する時に閉じた位置に蓋を固定し、かつ本体と蓋の間に封止を維持するように構成された取付機構も含む。
【００１１】
本発明の別の側面は、再封止可能な容器の製造方法である。方法は、側壁、底、及び開口を有する本体を製造することを含む。底及び開口が本体の反対端に設けられる。側壁が本体に内部空間を提供するように構成される。内部空間が開口及び底の間に概して設けられる。更に、側壁の内面の少なくとも一部が本体封止面を有する。
【００１２】
本発明は、シールを有する蓋を製造して蓋を本体に取付けることも含む。開いた位置と閉じた位置の間で枢動可能に蓋が動くことを許容するように蓋が本体に取付けられる。加えて、蓋は、閉じた位置に蓋がある時に本体に着座するように構成され、開いた位置に蓋がある時に内部空間へのアクセスを許容する。シールは、本体封止面及びシールの間に封止を形成するべく閉じた位置に蓋がある時に本体の内部空間の少なくとも一部内に延在し、本体封止面の少なくとも一部に係合するように構成される。
【００１３】
加えて、本体又は蓋の少なくとも一方は、蓋が本体に着座する時に閉じた位置に蓋を固定し、かつ本体封止面及びシールの間に封止を維持するように構成された取付機構を含む。
【００１４】
本発明の別の側面は、再封止可能な容器の製造方法である。方法は、側壁、底、及び開口を有する本体を製造することを含む。底及び開口が本体の反対端に設けられる。側壁が本体に内部空間を提供するように構成される。内部空間が開口及び底の間に概して設けられる。方法は、蓋を製造し、蓋にシールを接続することも含む。シールは、封止面を有する。
【００１５】
方法は、本体に蓋を取付け、開いた位置と閉じた位置の間で枢動可能に蓋が動くことを許容することも含む。蓋は、閉じた位置に蓋がある時に本体に着座するように構成され、開いた位置に蓋がある時に内部空間へのアクセスを許容する。封止面は、本体及び蓋の間に封止を形成するべく閉じた位置に蓋がある時に開口に隣接する本体の一部に係合するように構成される。加えて、本体又は蓋の少なくとも一方が、本体に蓋が着座する時に閉じた位置に蓋を固定し、本体と蓋の間に封止を維持するように構成された取付機構を含む。
【００１６】
本発明のシール及び取付機構の構成により、容器の離れた又は別個の蓋及び本体要素の結合及び配置の誤差の程度が対処され、他方、閉じた位置に蓋がある時の蓋と本体の間の封止の形成及び蓋のロッキングの双方が依然として提供される。
【００１７】
別の例示の実施形態によれば、取付機構が突起を有する爪を含む。
【００１８】
本発明の別の例示の実施形態によれば、容器が乾燥材料を含む。
【００１９】
本発明の別の例示の実施形態によれば、乾燥材料が側壁の内面に取付け若しくは接着される。
【００２０】
別の例示の実施形態によれば、側壁が乾燥材料を含む。
【００２１】
別の例示の実施形態によれば、取付機構の爪が、本体の一部であるか、若しくはそこに接続される。そのような実施形態によれば、蓋が閉じた位置の時、突起が蓋に係合して蓋と本体を一緒に止める。更に、蓋は、蓋が閉じた時に爪の少なくとも一部を収容するアパーチャを含む。アパーチャは、突起の配置のために構成された凹みを含み、本体に蓋を固定するための蓋への突起の係合を促進する。
【００２２】
別の例示の実施形態によれば、取付機構の爪が、蓋の一部であるか、若しくはそこに接続される。そのような実施形態によれば、蓋が閉じた位置の時、突起が本体に係合して蓋と本体を一緒に止める。更に、本体は、蓋が閉じた時に爪の少なくとも一部を収容するアパーチャを含む。アパーチャは、突起の配置のために構成された凹みを含み、本体に蓋を固定するための本体への突起の係合を促進する。
【図面の簡単な説明】
【００２３】
【図１】図１は、蓋が閉じた位置にあるように図示の容器の斜視図である。
【図２】図２は、蓋が開いた位置にあるように図示の容器の実施形態の斜視図である。
【図３】図３は、蓋が開いた位置にあり、かつ非円形構成の容器の実施形態の上面図である。
【図４】図４は、蓋が開いた位置にあり、かつ非円形構成の容器の実施形態の背面図である。
【図５】図５は、蓋が開いた位置にある図２に図示した容器の断面図である。
【図６】図６は、蓋が閉じた位置にある図２に図示した容器の断面図である。
【図７】図７は、蓋が閉じた位置にある図２に図示した容器の一部の断面図である。
【図８】図８は、蓋が閉じた位置にあるように図示の容器の斜視図である。
【図９】図９は、蓋が開いた位置にあるように図示の図８に図示した容器の斜視図である。
【図１０】図１０は、蓋が開いた位置にある図９に図示した容器の断面図である。
【図１１】図１１は、蓋が閉じた位置にある図９に図示した容器の断面図である。
【図１２】図１２は、蓋が閉じた位置にある図９に図示した容器の一部の断面図である。
【図１３】図１３は、蓋が開いた位置にあるように図示の容器の実施形態の斜視図である。
【図１４】図１４は、蓋が開いた位置にある図１３に図示の容器の断面図である。
【図１５】図１５は、蓋が閉じた位置にある図１３に図示した容器の断面図である。
【図１６】図１６は、蓋が閉じた位置にある図１３に図示の容器の一部の断面図である。
【図１７】図１７は、閉じた位置の蓋及びシールを有する容器の一部の断面図である。
【００２４】
上述の要約は、次に詳細に記述の特定の実施形態も同様、添付の図面と一緒に読むことにより良く理解されるだろう。本発明の図示の目的のため、図面において特定の実施形態が図示される。しかしながら、本発明は、添付図面に図示の配置及び手段に限定されるものではないと理解されるべきである。
【発明を実施するための形態】
【００２５】
ここで幾つかの実施形態が示された添付図面を参照して本発明をより十分に記述する。この発明は、しかしながら、多くの異なる形態にて実施され得、また本明細書で説明する実施形態に限定されるように解釈されるべきではない。むしろ、これらの特定の実施形態は、請求項の表現により示唆される完全なスコープを持つ本発明の例である。一貫して同一番号が同一要素を示す。
【００２６】
図１及び図２は、各々、閉じた及び開いた位置の蓋１０２を有するように図示の容器１００の実施形態の斜視図である。容器１００は、蓋１０２及び本体１０４を含む。本体１０４は、側壁１０６、底１０８、及び開口１１０を有する。開口１１０に隣接する側壁１０６の少なくとも一部は、本体封止面１１２を含む。底１０８及び開口１１０は、本体１０４の反対の端部に設けられる。
【００２７】
側壁１０６は、内面１１３及び外面１１５を含む。側壁１０６の内面１１３の少なくとも一部は、品物（群）や製品（群）の挿入を受容する本体１０４の内部空間１１４の少なくとも一部を形成又は画定する。内部空間１１４は、底１０８及び開口１１０の間に少なくとも部分的に設けられる。開口１１０は、内部空間１１４へのアクセスを提供する。本発明の実施形態によれば、開口１１０が、開口１１０の周囲の少なくとも一部の周りを延びるリム１３４により境界付けられる。そのような実施形態によれば、蓋１０２が閉じた位置にある時、蓋１０２の少なくとも一部が、リム１３４の少なくとも一部上に着座される。
【００２８】
本体１０４は、また乾燥材料１１６を含む若しくは収容する。例えば、側壁１０６及び／又は底１０８に対して取り付けられ若しくは接着され、及び／又はそれに隣接して配置されるライナー（ｌｉｎｅｒ）又はスリーブ（ｓｌｅｅｖｅ）の如く、例えば、図２に示すように、乾燥材料１１６が内部空間１１４内に配置される。実施形態によれば、乾燥材料１０６が、側壁１０６の内面１１３の少なくとも一部の形状に略応じる。更に、乾燥材料１１６が、内部空間１１４を少なくとも部分的に画定する。代替的に、例えば、側壁１０６及び／又は底１０８といった本体１０６の少なくとも一部が、乾燥材料又は乾燥材料を含む材料から成る。更に、乾燥材料１１６が、１以上のにおい袋（サシェ）、缶（キャニスター）、又は小球の形態、若しくは別の特定の形態にて内部空間１１４内に配される。
【００２９】
適切な乾燥材料１１６は、全てＨｅｋａｌの１以上の米国特許Ｎｏ．５，９１１，９３７；６，２１４，２５５；６，１３０，２６３；６，０８０，３５０；６，１７４，９５２；６，１２４，００６；及び６，２２１，４４６に記載の射出成形可能な熱可塑性乾燥性高分子材料を含み、これらは参照により本明細書に組み込まれる。シリカゲル、ゲル濾過、カルシウム酸化物、又は粘度も、若しくは代替して、乾燥剤として直に用いられ、若しくは乾燥材料に組み込まれる。別の実施形態においては、異なる種類の吸収材料、又は代替して、例えば、密閉された製品、品物、又は医薬品の酸化を阻止する不活性ガスといったガスを放出することができる材料を含む放出材料が用いられる。更に、放出材料は、香味又は芳香、又は内部空間１１４内に収容された製品、品物、又は医薬品の完全な乾燥が許容されない場合には湿気を放出する。
【００３０】
図１に示すように、本体１０４は、丸い断面の略管状又は円筒状の構成を有する。しかしながら、図３及び４に図示のように、本体１０４’は、とりわけ、例えば、長方形、正方形、多角形、又は楕円の非円形の断面形状を含む様々な他の断面構成を有し得る。更に、蓋１０２’は、本体１０４’の断面構成に結合する断面構成を有し、これにより、蓋１０２’と本体１０４’の間の封止が許容され、また、より詳細には、蓋１０２’が閉じた位置の時に本体１０４’の内部空間１１４’の封止が許容される。
【００３１】
蓋１０２は、キャップ１１８及びシール１２０を備える。蓋１０２は、蓋１０２が閉じる位置に本体１０４上に着座する時に本体１０２の開口１１０を閉じるように構成される。シール１２０は、キャップ１１８から蓋１０２の着座面１２３を超えて延在し、これにより、蓋１０２が本体１０４上に着座する時、シール１２０の少なくとも一部が本体１０４の内部空間１１４内に延在する。蓋１０２は、親指タブといったタブ１２６も含み、これが押され又は引かれて閉じた又は開いた位置から蓋１０２を移動することを支援し、逆も然りである。
【００３２】
本発明の実施形態によれば、シール１２０の少なくとも一部が、内側リングである。そのような実施形態によれば、シール１２０の内壁が、上部内部領域１２４を画定する。従って、蓋１０２が閉じた位置の時、上部内部領域１２４が、本体１０４の開口１１０に隣接し、かつ内部空間１１４を超えるように延在する製品のための追加の空間を提供する。従って、本発明の実施形態によれば、蓋１０２が閉じた位置の時、容器１００が概して本体の底１０８と蓋１０２のキャップ１１８の間で品物や製品を封止可能に収容する。
【００３３】
蓋１０２は、キャップ１１８から離れるように延在するスカート１２２も含む。図２に示すように、スカート１２２の少なくとも一部が、とりわけ略管状の構成を有する。スカート１２２は、シール１２０の少なくとも一部を周囲する。加えて、スカート１２２がシール１２０からオフセットされてスカート１２２の内壁の少なくとも一部とシール１２０の外壁の間にギャップが存在する。
【００３４】
本発明の実施形態によれば、蓋１０２及び本体１０４が離れた、別個の構成品であり、一体的に一緒に成形されない。例えば、蓋１０２及び本体１０４が、湿気ブロック高分子材料といった、例えば、ポリプロピレンといった熱可塑性材料から分離可能に射出成形される。加えて、乾燥剤といった活性薬剤及びチャネリング剤が高分子内へ混合される。そのような活性薬剤の例が１以上の米国特許Ｎｏ．６，１３０，２６３、６，０８０，３５０、６，２２１，４４６、６,１２４，００６、６，２１４，２５５、6，１９４，０７９、６，３１６，５２０、６，４６５，５３２、５，９１１，９３７、６，１７４，９５２、６,１７７，１８３、６，４８６，２３１、６，６９６，００２、６，４６０，２７1、６，６１３，４０５、６，８５２，７８３、ＲＥ４０，９４１及び７，００５，４５９に開示されており、全体が説明されるようにこれらが参照により本明細書に組み込まれる。
【００３５】
加えて、本体１０４及び／又は蓋１０２が乾燥材料１１６を収容する本発明の実施形態によれば、乾燥材料１１６が、一つの射出型に２ショットで別に射出成形され、そして組み立て又は形成される。
【００３６】
本発明の実施形態によれば、蓋１０２及び本体１０４がヒンジ１２８により一緒に取付けられる。ヒンジ１２８は、例えば、とりわけピン、ボルト、又はスクリュー、プラスチック溶接、又は接着といった機械的締結を含む様々な機構により形成される。本体１０４及び蓋１０２が一体にして、これらの構成品が一緒に成形され、又はこれらが別々に成形され、続いて一体的態様で、例えば、プラスチック溶接により結合される実施形態においては、材料が十分に薄くて曲げを許容する、２つを結合する領域によりヒンジ１２８が形成される。蓋１０２が図１に示すような閉じた位置から図２に示すような開いた位置へ枢動に移動することがヒンジ１２８により許容され、また逆も然りである。更に、ヒンジ１２８が、本体１０４の第１拡張部１３０と蓋１０２の第２拡張部１３２を結合することにより形成される。例えば、図２に示すように、本体１０４が、本体１０４の開口１１０の周りのリム１３４を含み、そこから第１拡張部１３０が延在し、他方、第２拡張部１３２が蓋１０２のスカート１２４から延在する。
【００３７】
図５乃至７は、図１に図示した容器１００の断面図を図示する。シール１２０は、蓋１０２が本体１０４上に着座する時に蓋１０２及び本体１０４の間の封止形成を支援するように構成される。更に加えて、蓋１０２が閉じた位置の時、シール１２０の少なくとも一部が内部空間１１４内へ延在し、側壁１０６の内面１１３の本体封止面１１２の少なくとも一部に対して接触する。シール１２０及び本体封止面１１２のサイズ及び構成は、シール１２０と本体封止面１１２の間に圧縮力又は張力を形成し、これが内部空間１１４内への湿気の侵入及び／又は脱出を制御し、かつ内部空間１１４を周囲の状態から隔離する封止又は栓を形成する。
【００３８】
例えば、本発明の実施形態によれば、本体封止面１１２の少なくとも一部が、蓋１０２のシール１２０の結合面の少なくとも一部の外径よりも小さな内径を有する。そのような径の差がシール１２０の結合面に対して封止面１１２により課される圧力に帰結し、逆も然りであり、これらの接触面の間に封止を形成する。それに加えて、シール１２０の形成に用いられる材料及びそのサイズ及び構成に依存し、そのような径の差が、本体封止面１１２への接触係合によりそこに課される圧力によって、シール１２０の少なくとも一部が、曲げ、反り、圧縮及び／又は変形し、シール１２０の接触面と本体封止面１１２の間に封止形成が生じる。
【００３９】
図５乃至７に示すように、シール１２０の少なくとも一部がテーパー面１４４を含む。そのようなテーパー面１４４により、蓋１０２が閉じる位置に移動するに応じて、内部空間１１４の内部における及び本体封止面１１２の一部に対するシール１２０の位置付けが支援される。より詳細には、シール１２０のテーパー面１４４が、本体１０４の開口１１０の口での内径よりも小さな径を有し、テーパー面１４４が側壁１０６、端的には本体封止面１１２から最小又はゼロの干渉で内部空間１１４内にはじめに進入し、シール１２０が内部空間１１４内に適切に位置づけられる。シール１２０のテーパー面１４４と開口１１０の口での本体封止面１１２の径のそのような差により、シール１２０の反り、曲げ、又は変形の能力と同様、蓋１０２を適切に閉じて本体１０４に封止を形成するべく本体１０４に蓋１０２を配置及び／又は位置づけるのに要求される精度の余裕が許容される。
【００４０】
加えて、図５乃至７に示すように、本体封止面１１２の少なくとも一部が、蓋１０２が閉じた位置の時にシール１２０のテーパー面１４４に対して合致し、かつ接触するテーパー又は面取り面１４６も含む。面取り面１４６の角度は、テーパー面１４４のテーパーの角度や程度に合致するように選択される。本体封止面１１２及びシール１２０の別の部分の接触と同様、これらの合致するテーパー及び面取り面１４４、１４６の径が、容器１００の内部空間１１４の内外の湿気の侵入及び／又は脱出を阻止し、かつ内部空間１１４内の状態を制御することに用いられる蓋１０２と本体１０４の間の封止可能な係合の形成を補助するように構成される。
【００４１】
容器１００は、本体１０４上に着座して閉じた位置の蓋１０２の止め又はロックを補助する取付機構１４８も含む。更に、取付機構１４８のロッキングにより、蓋１０２が閉じられる時に圧縮及び／又は張力係合にシール１２０及び本体封止面１１２が維持され、これにより蓋１０２と本体１０４の間の封止が維持又はロックされる。本発明の実施形態によれば、取付機構１４８の次のロック解除及び本体１０４に着座した状態から開いた位置への蓋１０２の動きにより蓋１０２と本体１０４の間の封止、端的にはシール１２０と本体封止面１１２の間の封止を破り、これが、可聴の「ポッピング（ｐｏｐｐｉｎｇ）」音を生じさせ得る。
【００４２】
本発明の実施形態によれば、取付機構１４８が、蓋１０２にロッキングするように係合する突起１４２を有する爪１４０を含む。図２及び５−７に示すように、蓋１０２が、蓋が閉じる位置の時に爪１４０及び／又は突起１４２の少なくとも一部を収容又は合致するアパーチャ１３６及び凹み１３８を含む。アパーチャ１３６及び凹み１３８の少なくとも一部が、蓋１０２のタブ１２６及び／又はスカート１２２又はこれらの任意の組み合わせに設けられる。アパーチャ１３６は、リム１３４から離れるように延在するといったように本体１０４から離れるように延在する爪１４０の少なくとも一部の挿入を受容するようにサイズされる。図６及び７に示すように、蓋１０２が閉じた位置の時、爪１４０の少なくとも一部が、スカート１２２の内壁とシール１２０の外壁の間のギャップに配される。凹み１３８での突起１４２の位置付けにより、本体１０４上に着座した閉じた位置の蓋１０２を維持又はロックする突起１４２と蓋１０２の間の干渉及び／又は摩擦係合が生じ、これにより内部空間１１４周りにシールが維持される。更に、凹み１３８を介して蓋１０２を係合するのではなく、爪１４０の通路のために蓋１０２に貫通孔を形成し、突起１４２が、例えば、タブ１２６の上面１２７といった蓋１０２の外面に係合する。加えて、タブ１２６は、蓋１０２が閉じた位置に／から移動することを支援し、突起１４２が凹み１３８に係合／非係合する。
【００４３】
爪１４０が弾性に構成されることにより、蓋１０２が閉じた位置へ又はから動くに応じて、蓋１０２に対して突起１４２が押されて爪１４０が曲がり又は反る。例えば、蓋１０２が閉じた位置に動き、爪１４０がアパーチャ１３６に進入する時、凹み１３８が突起１４２に近づくように動くに応じて、突起１４２が蓋１０２の表面に摺動接触するようになる。そのような接触により爪１４０が略内側方向に曲がり又は反る。突起１４２が凹み１３８に係合可能である時、爪１４０が反っていない又は曲がっていない位置に復帰し、若しくは減じられた程度の反り又は曲げを持つ。爪１４０の弾性は、爪１４０を構成するのに用いられる材料及び／又は爪１４０のサイズ及び構成により提供される。
【００４４】
爪１４０は、本体１０４の一体部分であり、若しくはフランジ１０４に動作可能に取付られる別の構成品である。例えば、一つの実施形態によれば、本体１０４が爪１４０を含むように成形される。代替して、爪１４０が、本体１０４のリム１３４の開口にスライドして入る別の構成品である。そのような実施形態によれば、爪１４０の上端に突起１４２を有するのに加えて、爪１４０の底端は、爪１４０が本体１０４から外れることを阻止するように構成される。使用に際しては、蓋１０２が閉じる位置の時、そのような爪１４０の底端が、凹み１３８に突起１４２が係合するまで蓋１０２に向って動かされる。
【００４５】
図８乃至１２は、蓋２０２、本体２０４、及び閉じた位置に蓋２０２を止めるように構成された取付機構２４８を有する本発明の実施形態に係る容器２００を図示する。取付機構２４８は、突起２４２を有する爪２４０を含む。取付機構２４０の少なくとも一部が、蓋２０２が閉じた位置の時に本体２０４に収容され、又は結合（嵌合）する。例えば、本体２０４は、凹み２３８を有するアパーチャ２３６を含み、それを介して突起２４２が本体２０４に係合する。より詳細には、図８乃至１２に示すように、爪２４８が、蓋２０２から略延在する蓋２０４の一体部分である。従って、蓋２０２が閉じた位置のとき、爪２４０の少なくとも一部が本体２０４のリム２３４又は側壁１０６のアパーチャ２３６に配置される。例えば、爪２４８が、他の構成の中でも、蓋２０２のキャップ１１８から延在したり、スカート１２２の拡張部になったり、スカート１１８の側面からの突起になったり、若しくは、タブ１２６の底面から突出したりする。図１１及び１２に示すように、蓋２０２が閉じた位置において、爪２４０がキャップ１１８又はスカート１２２から延在し、タブ１２６のオリフィス２５０を通過し、リム２３４のアパーチャ２３６に入り、ここで、突起２４２が凹み２３８に係合する。更には、凹み２３８を介して本体２０４に係合するのではなく、突起２４２が、例えば、とりわけ、リム２３４の基部の周りの下面２３５といった本体２０４の外面に係合し得る。
【００４６】
図１３−１６は、蓋３０２、本体３０４、及びシール３２０を有する容器３００を図示する。シール３２０は、シールベース３５０及び封止面３５２を含む。シールベース３５０は、蓋３０２にシール３５０を固定するべく蓋３０２から延在するピン３５６に係合するオリフィス３５４を含む。ピン３５６は、オリフィス３５４よりも大きい径を有する肩３５８を含み、蓋３０２との関係においてシール３５０を止めることを支援する。より大きな径の肩３５８は、シール３２０が不注意にピン３５６から外れるようになることを阻止する干渉を形成する。シール３２０のエラストマー性質により、シール３２０が蓋３０２に取付けられる際、オリフィス３５４の少なくとも一部を介したより大きな肩３５８の通過が許容される。シール３２０及び蓋３０２は、例えば、とりわけ、接着の使用の介在を含む、他の様々な態様で接続されもするだろう。例えば、シール３２０は、シール３２０の上部から延在し、かつ蓋３０２の少なくとも一つのキャビティーに係合する少なくとも一つのマウントを含む。シール３２０のように、そのようなマウントがエラストマー材料から構成され、かつ蓋３０２のキャビティーに適合し（フィットして入り）、かつこれにより止められるように変形する肩を含む。
【００４７】
封止面３５２が、シールベース３５０から延在し、かつ蓋３０２と本体３０４の間に封止を形成するように蓋３０２が閉じた位置にある時に封止面３５２の少なくとも一部が本体３０４の少なくとも一部に接触するように構成される。図１４−１６に示すように、本発明の実施形態によれば、封止面３５２の少なくとも一部が、シールベース３５０から離間するように及び外側の両方に下降する。そのような構成により、蓋３０２が閉じた位置にあり、かつ封止面３５２の少なくとも一部の反り、変形、又は圧縮に帰結する圧縮力に屈する時に封止面３５２の少なくとも一部が本体３０４に接触することが許容される。更に、そのような構成により、蓋が開いた位置にある弛緩状態から蓋３０２が閉じた位置にある圧縮状態へシール３２０が推移する時に封止面３５２の少なくとも一部が入るための空間が封止面部材３５２と蓋１１８の間に提供され得る。
【００４８】
図１５及び１６に示すように、蓋３０２が閉じた位置にある時、封止面３５２の少なくとも一部が、本体３０４の開口１１０の口で側壁１０６の上部で口縁３６０に接触する。図１５及び１６に示すように、実施形態によれば、蓋３０２が閉じられる時、封止面３５２が、蓋３０２と本体３０４の間に封止を形成するべくリム１３４を越えて延在する本体３０４の側壁１０６の少なくとも一部に係合する。リム１３４を超える側壁１０６の延在により、蓋３０２が閉じる時、側壁１０６が、封止面３５２の少なくとも一部が反られ、変形され、曲げられ、又は圧縮されることを生じさせる干渉を提供し、それが蓋３０２と本体３０４の間に封止を形成するのを支援する。加えて、延長された側壁１０６により、側壁１０６とスカート１２２の内面の間の追加のシールが形成され得る。
【００４９】
更に、封止面３５２が口縁３６０及び／又は側壁１０６に向かう如く本体３０４に向って付勢され、蓋３０２が閉じた位置にある時に蓋３０２と本体３０４の間に封止を形成するのも支援する。加えて、容器３００が取付機構１４８、２４８も含み、閉じた位置に蓋３０２を維持又はロックし、蓋３０２と本体３０４の間に封止を維持する。
【００５０】
シール３２０は、多様な異なる構成を有し得る。更に、シール３２０の外周長は、蓋３０２、キャップ１２２、及び／又はスカート１２２の形状に沿うように設定される。例えば、本発明の実施形態によれば、シール３２０が、略円形の断面形状を有する。しかしながら、シール３２０は、例えば、とりわけ、正方形、長方形、三角形、多角形又は楕円を含む、様々な他の非円形の構成を有し得る。
【００５１】
図１５及び１６は、蓋３０２が閉じた位置にある時に封止面３５２の外側部分が口縁３６０に接触する状態を図示するところ、シール３２０が本体３０４の口縁３６０及び／又は別の部分に係合する別の構成を有し得る。例えば、図１７に示すように、容器４００が、第１封止面４６２及び／又は第２封止面４６４を有するシール４２０を含む。そのような実施形態によれば、第１封止面４６２が、側壁１０６の内面１１３の少なくとも一部に係合するように構成された内側封止リングである。加えて、第２封止面４６４が、側壁１０６の外面１１５の一部に係合するように構成された外側封止リングである。更に、第１及び第２シール４６２、４６４の間が、蓋３０２が閉じた位置の時に本体３０４の口縁３６０に係合する封止領域４６６である。
【００５２】
明細書及び図面において次の参照記号が用いられる。
【符号の説明】
【００５３】
１００            容器
１０２            蓋
１０４            本体
１０６            側壁
１０８            底
１１０            開口
１１２            本体封止面
１１３            内面
１１４            内部空間
１１５            外面
１１６            乾燥材料
１１８            キャップ
１２０            シール
１２２            スカート
１２３            封止面
１２４            上部内部領域
１２６            タブ
１２７            上面
１２８            ヒンジ
１３０            第１拡張部
１３２            第２拡張部
１３４            リム
１３６            アパーチャ
１３８            凹み
１４０            爪
１４２            突起
１４４            テーパー面
１４６            面取り面
１４８            取付機構
２００            容器
２０２            蓋
２０４            本体
２３４            リム
２３５            下面
２３６            アパーチャ
２３８            凹み
２４０            爪
２４２            突起
２４８            取付機構
２５０            オリフィス
３００            容器
３０２            蓋
３０４            本体
３２０            シール
３５０            シールベース
３５２            封止面
３５４            オリフィス
３５６            ピン
３５８            肩
３６０            口縁
４００            容器
４２０            シール
４６２            第１封止面
４６４            第２封止面
４６６            封止領域
【図１】
2014504238.tif 000003
【図２】
2014504238.tif 000004
【図３】
2014504238.tif 000005
【図４】
2014504238.tif 000006
【図５】
2014504238.tif 000007
【図６】
2014504238.tif 000008
【図７】
2014504238.tif 000009
【図８】
2014504238.tif 000010
【図９】
2014504238.tif 000011
【図１０】
2014504238.tif 000012
【図１１】
2014504238.tif 000013
【図１２】
2014504238.tif 000014
【図１３】
2014504238.tif 000015
【図１４】
2014504238.tif 000016
【図１５】
2014504238.tif 000017
【図１６】
2014504238.tif 000018
【図１７】
2014504238.tif 000019
【手続補正書】
【提出日】平成25年6月28日(2013.6.28)
【手続補正１】
【補正対象書類名】特許請求の範囲
【補正対象項目名】全文
【補正方法】変更
【補正の内容】
【特許請求の範囲】
【請求項１】
側壁、底、及び開口を有する本体であって、前記底及び前記開口が前記本体の反対端に設けられ、前記側壁が前記本体に内部空間を提供するように構成され、前記内部空間が前記開口及び前記底の間に概して設けられ、前記側壁の内面の少なくとも一部が本体封止面を有する、本体と、
シールを有する蓋であって、開いた位置と閉じた位置の間で前記蓋が動くことを許容するべく前記本体に対して前記蓋が枢動可能に結合し、前記蓋が、前記閉じた位置に前記蓋がある時に前記本体に着座するように構成され、また前記開いた位置に前記蓋がある時に前記内部空間へのアクセスを許容し、前記シールが、前記本体封止面と前記シールの間に第１封止を形成するように前記閉じた位置に前記蓋がある時に前記本体の前記内部空間の少なくとも一部内に延在するように構成され、かつ前記本体封止面の少なくとも一部と前記シールの間の接触係合により内側に変形し、ここで、前記開いた位置に前記蓋がある時、前記シールに亘る幅が、閉じた位置に前記蓋がある時に前記シールの前記少なくとも一部が接触する前記本体封止面に亘る幅よりも大きく、また、前記閉じた位置に前記蓋がある時、前記シールに亘る幅が、前記シールが接触する前記本体封止面に亘る幅に約等しく、前記シールが接触する前記本体封止面に亘る幅が、前記開いた及び閉じた位置に前記蓋がある時と約同じままである、蓋と、
前記本体に前記蓋が着座する時に前記閉じた位置に前記蓋を固定し、かつ前記本体封止面及び前記シールの間に前記第１封止を維持するように構成された取付機構と、
を備える再封止可能な容器。
【請求項２】
前記シール及び前記取付機構が離れた別個の要素である、請求項１に記載の容器。
【請求項３】
前記本体が第１拡張部を有し、前記蓋が第２拡張部を有し、前記第１及び第２拡張部のヒンジにより前記蓋及び前記本体が一緒に結合される、請求項１又は２に記載の容器。
【請求項４】
前記シールが内側リングであり、前記閉じた位置に前記蓋がある時、前記シールと前記本体封止面の間の前記接触係合が、前記内側リングの少なくとも一部を内側に変形して前記第１封止を形成する、請求項１乃至３のいずれか一項に記載の容器。
【請求項５】
前記本体封止面の少なくとも一部が、前記閉じた位置に前記蓋がある時に前記シールのテーパー面に係合して前記第１封止を実質的に気密封止にする面取り面を有する、請求項１乃至４のいずれか一項に記載の容器。
【請求項６】
前記取付機構が、前記本体に設けられた爪を含み、前記爪が、前記閉じた位置に前記蓋がある時に前記蓋に係合する突起を有する、請求項１乃至５のいずれか一項に記載の容器。
【請求項７】
前記蓋が、アパーチャ及び凹みを含み、
前記閉じた位置に前記蓋がある時、前記爪の少なくとも一部が前記アパーチャに配置され、前記爪の突起の少なくとも一部が前記凹みに配置される、請求項６に記載の容器。
【請求項８】
前記取付機構が前記蓋に設けられた爪を含み、前記本体がアパーチャを含み、前記爪の少なくとも一部が、閉じた位置に前記蓋がある時に前記アパーチャに配置される、請求項１乃至５のいずれか一項に記載の容器。
【請求項９】
前記開口がリムにより境界付けられ、前記アパーチャが前記リムに配される、請求項８に記載の容器。
【請求項１０】
側壁、底、及び開口を有する本体であって、前記底及び前記開口が前記本体の反対端に設けられ、前記側壁が前記本体に内部空間を提供するように構成され、前記側壁が、前記開口に隣接し、かつ前記側壁の上部にある口縁を含み、前記内部空間が前記開口及び前記底の間に概して設けられる、本体と、
開いた位置と閉じた位置の間で当該蓋が動くことを許容するべく前記本体に対して枢動可能に結合した蓋であって、前記蓋が、前記閉じた位置に前記蓋がある時に前記本体に着座するように構成され、また前記開いた位置に前記蓋がある時に前記内部空間へのアクセスを許容する、蓋と、
前記蓋に動作可能に接続したシールであって、封止面、シールベース、及びオリフィスを有し、前記封止面が、前記閉じた位置に前記蓋がある時に前記口縁に係合するように構成され、前記シールが、前記口縁と前記シールの間に第１封止を形成するように前記口縁に対する係合により変形し、前記オリフィスが、前記蓋との関係において前記シールを保持する、前記蓋から延在するピンに係合するように構成される、シールと、
前記蓋が前記本体に着座する時に前記閉じた位置に前記蓋を固定し、かつ前記本体と前記蓋の間に前記第１封止を維持するように構成された取付機構であって、当該取付機構が、爪及びアパーチャを有し、前記アパーチャが、前記爪の少なくとも一部の挿入を受容するように構成される、取付機構と、
を備える、再封止可能な容器。
【請求項１１】
前記シール及び前記取付機構が離れた別個の要素である、請求項１０に記載の容器。
【請求項１２】
前記シールがエラストマーである、請求項１０又は１１に記載の容器。
【請求項１３】
前記シールの少なくとも一部が前記本体に向って付勢される、請求項１０乃至１２のいずれか一項に記載の容器。
【請求項１４】
前記蓋がスカートを含み、ここで、前記閉じた位置に前記蓋がある時、前記スカートの少なくとも内側部分が、前記側壁の外側部分に係合して実質的に気密封止を提供する、請求項１０乃至１３のいずれか一項に記載の容器。
【請求項１５】
前記本体がリムを含み、前記リムが前記開口の周りに配置され、また前記側壁の少なくとも一部が前記リムを越えて延在する、請求項１０乃至１４のいずれか一項に記載の容器。
【請求項１６】
前記爪が突起を含み、前記爪が前記リムに設けられ、ここで、前記突起は、前記閉じた位置に前記蓋がある時に前記蓋に対して係合する、請求項１５に記載の容器。
【請求項１７】
前記蓋が、前記アパーチャ及び凹みを含み、
前記爪の少なくとも一部が、前記閉じた位置に前記蓋がある時に前記アパーチャに配置され、
前記凹みが、前記閉じた位置に前記蓋がある時に前記突起の少なくとも一部の配置のために構成される、請求項１６に記載の容器。
【請求項１８】
前記爪が前記蓋に設けられ、前記爪が突起を有し、ここで、前記突起が、前記閉じた位置に前記蓋がある時に前記本体の凹みに係合する、請求項１０乃至１４のいずれか一項に記載の容器。
【請求項１９】
前記本体が前記開口の周りに配置されたリムを含み、前記アパーチャが前記リムに配置される、請求項１８に記載の容器。
【請求項２０】
前記本体が第１拡張部を有し、前記蓋が第２拡張部を有し、前記第１及び第２拡張部のヒンジにより前記蓋及び本体が一緒に結合される、請求項１０乃至１９のいずれか一項に記載の容器。
【請求項２１】
側壁、底、及び開口を有する本体であって、前記底及び前記開口が前記本体の反対端に設けられ、前記側壁が前記本体に内部空間を提供するように構成され、前記側壁が、前記開口に隣接し、かつ前記側壁の上部にある口縁を含み、前記内部空間が前記開口及び前記底の間に概して設けられる、本体と、
開いた位置と閉じた位置の間で当該蓋が動くことを許容するべく前記本体に対して枢動可能に結合した蓋であって、前記蓋が、前記閉じた位置に前記蓋がある時に前記本体に着座するように構成され、また前記開いた位置に前記蓋がある時に前記内部空間へのアクセスを許容し、当該蓋がシールも含み、当該シールが、第１封止面及び第２封止面を有し、前記第１封止面が、前記側壁の内面に対して係合して第１封止領域を提供するように構成され、前記第２封止面が、前記側壁の外面に対して係合して第２封止領域を提供するように構成される、蓋と、
前記蓋が前記本体に着座する時に前記閉じた位置に前記蓋を固定し、かつ前記本体と前記蓋の間に前記第１封止を維持するように構成された取付機構であって、当該取付機構が、爪及びアパーチャを有し、前記アパーチャが、前記爪の少なくとも一部の挿入を受容するように構成される、取付機構と、
を備える、再封止可能な容器。
【請求項２２】
前記シールが、前記第１及び第２封止領域の間の第３封止領域を更に含み、前記第３封止領域の少なくとも一部が、前記閉じた位置に前記蓋がある時に前記側壁の上部の口縁に係合するように構成される、請求項２１に記載の容器。
【請求項２３】
側壁、底、及び開口を有する本体であって、前記底及び前記開口が前記本体の反対端に設けられ、前記側壁が前記本体に内部空間を提供するように構成され、前記内部空間が前記開口及び前記底の間に概して設けられる本体を成形し、
蓋を成形し；
前記蓋から延在するピンに対してシールを接続し、ここで、前記シールが、シールベース及び封止面を有し、前記封止面が、前記シールベースから外側及び離れるように下降する；及び
前記本体に対して前記蓋を取付け、開いた位置と閉じた位置の間で前記蓋が枢動可能に動くことを許容するべく前記蓋が前記本体に取付けられ、前記蓋が、前記閉じた位置に前記蓋がある時に前記本体に着座するように構成され、また前記開いた位置に前記蓋がある時に前記内部空間へのアクセスを許容し、前記封止面が、前記本体及び前記蓋の間に第１封止を形成するべく前記閉じた位置に前記蓋がある時に前記開口に隣接する前記側壁の上部にある口縁に係合するように構成される；
ここで、前記本体又は蓋の少なくとも一方が、前記本体に前記蓋が着座する時に前記閉じた位置に前記蓋を固定し、かつ前記本体及び前記蓋の間に前記第１封止を維持するように構成された取付機構を含む、再封止可能な容器の製造方法。
【国際調査報告】
2014504238.tif 000020
2014504238.tif 000021